(57)【要約】【課題】外周枠部に架設される面材を係止させる部材を、外周枠部の表面側から視認できず意匠性を向上させ、誤って外周枠部と面材の係合が解除されることを防止できる。【解決手段】椅子の座は、外周枠部の略楕円形枠状をなす外周枠本体部３１の外側縁部に係合凹部３３を備え、係合凹部３３の内部にメッシュ状の面材１７が架設される外周枠部の表面側と逆の裏面側に開口３７ａを有する係合孔３７を設けた。面材１７の外周縁部を縁部材４０の基部４０ａに逢着等で固定した。外周枠本体部３１の係合凹部３３に縁部材４０を押し込んで係止片を係合させることで、係止片から突出させた係合凸部４１を係合孔３７に係合させて、外周枠部に面材１７を張架する。外周枠部の裏面側には係合孔３７の開口３７ａが形成され、その外側に裏面側へ突出する突出壁部３８を設けて遮蔽する。【選択図】図１１
2020058719.tif 000002
【特許請求の範囲】
【請求項１】
外側縁部に開口する係合凹部を備える外周枠部と、
前記係合凹部に係合される縁部材をその外周縁部に備えていて前記縁部材が前記係合凹部に係合されることによって前記外周枠部に架設される面材と、を備える荷重支持部材において、
前記外周枠部は、
前記係合凹部の内部に連通していて、前記面材が架設される前記外周枠部の表面側と逆の裏面側に開口を有する前記縁部材を係止するための係合孔と、
前記係合孔の開口より外側で前記裏面側へ突出する突出壁部と、
を備えたことを特徴とする荷重支持部材。
【請求項２】
前記縁部材は、前記係合凹部の内部で前記係合孔に係合する係合凸部を有している請求項１に記載された荷重支持部材。
【請求項３】
前記外周枠部は、前記面材の裏面側に設置された支持部と、該支持部に連結されていて前記支持部の外周側に配置された外周枠本体部と、を備えており、
前記外周枠本体部における前記係合孔を有する部分が前記支持部の外側に突出して上方に湾曲している請求項１または２に記載された荷重支持部材。
【請求項４】
前記外周枠本体部に前記係合孔が所定間隔で複数個形成され、前記突出壁部は複数個の前記係合孔の開口に沿って連続して形成されている請求項３に記載された荷重支持部材。
【請求項５】
請求項１から４のいずれか１項に記載された前記荷重支持部材と、前記荷重支持部材を支持する支持構造体と、を備えたことを特徴とする椅子。
【発明の詳細な説明】
【技術分野】
【０００１】
本発明は、椅子の座や背もたれ等にかかる荷重を受ける荷重支持部材及びこの荷重支持部材を備えた椅子に関する。
【背景技術】
【０００２】
従来、椅子の背もたれに張設されたシート状の面材に荷重を受ける荷重支持部材を設けた椅子として、例えば下記特許文献１に開示されたものが知られている。
この特許文献１に記載された椅子の背もたれには、外周枠部としての背フレームに面材としてメッシュ状の張材が架設されている。この張材は所定の張力をもって略四角形をなす背フレームの左右の側枠杆と上枠杆及び下枠杆とに架設されているので、例えば張材の周縁部に設けた側縁材を、側枠杆の外側縁部に形成された凹溝に圧入することで係止させ、摩擦抵抗力を高めて背フレームからの脱落を抑止している。
しかも、背フレームに縁材を圧入させるだけでは凹溝に対する張材の保持力が弱いことから、側枠杆の前面側に形成した貫通孔に側縁材に形成した突片を係合させることで、保持力を向上させている。側枠杆の貫通孔は背フレームの表面側、すなわち張材に覆われる面に形成されている。
【先行技術文献】
【特許文献】
【０００３】
【特許文献１】特開２０１３−９４２８４号公報
【発明の概要】
【発明が解決しようとする課題】
【０００４】
しかしながら、特許文献１に記載された椅子では、背フレームの左右の側枠杆に形成した凹溝に張材の縁材を挟んで側縁材の突片を係合させる構成であるため、表面に側縁材を取り付ける必要があった。そのため、部材数が増大してコスト高になるという問題がある。
しかも、側縁材が張材の押さえ部材として椅子の背もたれの表面側に露出するため外観上の見栄えがよくない上に、使用者の手等によって、誤って縁材と凹溝との係合が解除されてしまうおそれがある、という問題がある。
【０００５】
本発明は、このような課題に鑑みてなされたものであり、外周枠部に架設される面材を係止させる部材を、外周枠部の表面側から視認できず意匠性を向上させる上に、誤って外周枠部と面材の係合が解除されることを防止できるようにした、荷重支持部材及び椅子を提供することを目的とする。
【課題を解決するための手段】
【０００６】
本発明による荷重支持部材は、外側縁部に開口する係合凹部を備える外周枠部と、係合凹部に係合される縁部材を外周縁部に備えていて縁部材が係合凹部に係合されることによって外周枠部に架設される面材と、を備える荷重支持部材において、外周枠部は、係合凹部の内部で、面材が架設される外周枠部の表面側と逆の裏面側に開口を有する縁部材を係止するための係合孔と、係合孔の開口より外側で裏面側へ突出する突出壁部と、を備えたことを特徴とする。
本発明によれば、荷重を受ける面材の縁部材は外周枠部の外周縁部に形成された係合凹部に係合させると共に係合凹部にその内壁から連通する係合孔に係止させることができるため、誤って使用者の手等によって面材の係合が解除されることを防止できる。しかも、外周枠部の裏面に設けられた係合孔の開口の外側に突出壁部を設けたため、開口を外側から視認できず外観上の見栄えがよい。
【０００７】
また、縁部材は、係合凹部の内部で係合孔に係合する係合凸部を有していることが好ましい。
面材の縁部材は係合凹部の内部に挿入されると係合凸部が係合孔に落ち込んで確実に係止できるので、使用者の誤操作等で縁部材と係合凹部との係合が解除されることを阻止できる。
【０００８】
また、外周枠部は、面材の裏面側に設置された支持部と、該支持部に連結されていて支持部の外周側に配置された外周枠本体部と、を備えており、外周枠本体部における係合孔を有する部分が支持部の外側に突出して上方に湾曲していることが好ましい。
外周枠部の外周枠本体部における係合孔を有する部分が支持部の外側に突出して上方に湾曲していると、外周枠部の裏面側の開口を外側から一層視認し易いが、突出壁部によって視認できないように遮蔽できる。
【０００９】
また、外周枠本体部に係合孔が所定間隔で複数個形成され、突出壁部は複数の前記係合孔の開口に沿って連続して形成されていてもよい。
外周枠本体部の裏面に開口する複数個の係合孔の開口に沿って、その外側に突出壁部を連続して形成したため、外周枠本体部の強度をより補強できる上に外観の見栄えがよく意匠性が向上する。
【００１０】
本発明による椅子は、上述したいずれかに記載された荷重支持部材と、荷重支持部材を支持する支持構造体と、を備えたことを特徴とする。
本発明による椅子は、荷重を受ける面材の縁部材が外周枠部の係合凹部に係合すると共に係合孔に係止されるため、使用者の誤操作等によって面材の係合が解除されることを防止できる。しかも、外周枠部の裏面に設けられた係合孔の開口は突出壁部によって外側から視認できないため意匠性が高い。
【発明の効果】
【００１１】
本発明に係る荷重支持部材及び椅子によれば、面材の縁部材を係合させる係合凹部の内部に設けた係止孔の開口を外周枠部の裏面側で突出壁部によって遮蔽するため、外側から係止孔の開口を目視できず、外観上の見栄えが良く意匠性が向上する。
しかも、縁部材が係合凹部とその内部の係止孔に係合されるため、面材の縁部材と外周枠部との係合を使用者等が誤って解除してしまうおそれがなく面材の保持力が向上する。
【図面の簡単な説明】
【００１２】
【図１】本発明の実施形態による椅子の正面図である。
【図２】図1に示す椅子の側面図である。
【図３】図１に示す椅子の背面図である。
【図４】実施形態による椅子の座の部分の斜視図である。
【図５】図４に示す座の外周枠部の平面図である。
【図６】図５に示す外周枠部を示すもので、（ａ）は表面側の斜視図、（ｂ）は裏面側の斜視図である。
【図７】外周枠部の外側枠部を裏面側から見た要部斜視図である。
【図８】（ａ）は図７に示す外側枠部のＡ−Ａ線断面図、（ｂ）は後側枠部の断面図である。
【図９】面材の縁部材の要部斜視図である。
【図１０】図７に示す外側枠部のＣ−Ｃ線断面で示す係合凹部に面材の縁部材を係合した状態の要部断面図である。
【図１１】外周枠部の係合凹部と係合孔に面材の縁部材を係合した状態の要部断面図である。
【発明を実施するための形態】
【００１３】
以下、本発明の実施形態による椅子１とその座８を、添付図面を参照して説明する。
図１乃至図３は本発明の実施形態による椅子１を示す概略図である。この椅子１は、先端部にキャスタ２を備える放射状をなす５本の脚杆３を有する脚体４と、脚体４の中央に立設され、内部にガススプリング(図示略)が収容された伸縮式の脚柱５と、脚柱５の上端に後端部が固着された前上方を向く支基６と、支基６の上方に支持された座８と、前端部が左右方向、即ち椅子１の幅方向を向く軸９ａをもって支基６に枢着された側面視ほぼＬ字状の背もたれ支持フレーム９と、背もたれ支持フレーム９の後上部に支持された背もたれ１０と、を備えている。また、背もたれ支持フレーム９には、座８の両側部に位置する肘掛け部１２が連結されている。
【００１４】
支基６は、例えば上面が開口する前後方向に長く平面視でほぼ長方形の箱状をなし、その内部には、座８を常時前方に向かって付勢する公知の付勢手段、例えば特開２００５−２１１２４４号公報に記載されているような圧縮コイルばねと、このばねの付勢力を調節する調節手段(いずれも図示略)とが収容されている。支基６の上面の開口部は、着脱可能なカバー１３によって覆われている。
【００１５】
座８は、平面視枠状をなす支持フレーム１５と、この支持フレーム１５の上部に取付けられた合成樹脂製の外周枠部１６と、外周枠部１６の上面および外周面を覆うように外周枠部１６に取付けられた例えばメッシュシート状の面材１７とを備えている。なお、図２では面材１７は省略されている。
支持フレーム１５は、図１及び図２に示すように、両側部が外上向きに傾斜し、かつ下方に離間した左右方向を向く前後一対の横杆１５ａ、１５ｂと、横杆１５ａ、１５ｂの前後端部同士を連結する左右一対の縦杆１５ｃ、１５ｄと、を備えている。
【００１６】
縦杆１５ｃ、１５ｄは、背もたれ支持フレーム９における軸９ａより後方の部分の上面に回動可能に連結されている。背もたれ支持フレーム９は、軸９ａを中心として上下方向に回動し得るように形成されている。背もたれ支持フレーム９は、軸９ａの両側部に前端部が取り付けられていて略Ｌ字状に形成された左右一対の背もたれ支持杆１９、１９と、背もたれ支持杆１９，１９の起立した後端部に設けた固定片２０とを有している。
【００１７】
支持フレーム１５の後方の横杆１５ｂと背もたれ支持フレーム９との連結により、背もたれ１０が背もたれ支持フレーム９と共に後ろに傾斜したとき、座８の後部が後方へ移動させられる。それに伴って、前方の横杆１５ａが、支基６内の圧縮コイルばねの付勢力に抗して後方に摺動させられ、座８の前部も後方に移動させられる。
背もたれ１０の前方への復帰回動力と、座８の前方への復帰力は、支基６内の圧縮コイルばねの付勢力で得られる。或いは、別途ガススプリングを設けてその付勢力によって復帰力を得てもよい。背もたれ支持フレーム９に取付けられた背もたれ１０は、常時前向きに付勢されている。
【００１８】
背もたれ１０は、正面形状が略四角形の枠体である硬質合成樹脂よりなる背フレーム２２と、この背フレーム２２の表面すなわち前面に張設した例えばメッシュシート状の張材２３とを備えている。張材２３は面材に含まれる。
背フレーム２２は、上下方向の中央よりやや下方の部分が側面視において前方に突出するように緩やかにくの字状に屈曲する左右１対の側枠杆２４、２４と、その上端部同士を連結するとともに左右方向の中央部が後方に突出するように円弧状に湾曲する上枠杆２５と、両側枠杆２４、２４の下端部同士をほぼ直線状に連結する下枠杆２６と、を備えている。下枠杆２６の下面には、背もたれ支持フレーム９の後上部が左右方向にほぼ全長に亘って形成されている。下枠杆２６の前下端部は、背もたれ支持フレーム９に連結されている。
【００１９】
次に、座８の構成について、図４乃至図１１により説明する。
図４に示すように、座８は例えば合成樹脂製の外周枠部１６と、外周枠部１６の上面および外周面を覆うように取付けられた例えばメッシュシート状の面材１７と、を備えている。外周枠部１６は、図５及び図６に示すように、互いに平行な一対の支持部３０と、支持部３０の外周部を囲うように形成されて支持部３０に連結された略楕円形枠状の外周枠本体部３１と、で構成されている。
各支持部３０は座８の前後方向に配列されている。一対の支持部３０の下部に設けられた支持フレーム１５は、支基６に対しては前側の横杆１５ａを介して支持され、背もたれ支持フレーム９に対しては左右の縦杆１５ｃ、１５ｄを介して支持されている。背もたれ支持フレーム９及び支基６は椅子１の支持構造体を構成する。
【００２０】
しかも、図５及び図６（ａ）、（ｂ）において、外周枠本体部３１は、一対の支持部３０，３０の両外側に突出する部分は外側枠部３１ａ，３１ａとされ、支持部３０に対して上方に湾曲して略円弧状に形成されている。外側枠部３１ａ，３１ａは支持部３０，３０から外側にオーバーハングされている。外周枠本体部３１の支持部３０，３０で挟まれた略直線状領域において、椅子１の前方側は前側枠部３１ｂ、後方側、即ち背もたれ１０側は後側枠部３１ｃとされている。一対の支持部３０、３０と前側枠部３１ｂ及び後側枠部３１ｃとで挟まれた領域は略平面状で略四角形状に形成されている。
【００２１】
図６乃至図８において、外周枠本体部３１の外側縁部には、後側枠部３１ｃを除く両側の外側枠部３１ａ、３１ａと前側枠部３１ｂの領域に、例えば断面略Ｕ字状または略コの字状の係合凹部３３が連続して形成されている。係合凹部３３は、後述するように面材１７の外側縁部に固定された縁部材４０を係合するものである。後側枠部３１ｃには、図６（ｂ）に示すように、断面略Ｌ字状の段部３４が上側に形成されている。
【００２２】
図８（ｂ）に示すように、後側枠部３１ｃの段部３４の下側には段部３４に対向する上向きの突部３２ａを有する断面略Ｌ字状をなす凹部形成部材３２が設置されている。後側枠部３１ｃの段部３４と凹部形成部材３２の突部３２ａとの間には、断面略コの字状の凹部３５が形成されている。この凹部３５は係合凹部３３の一部を構成する。そのため、外周枠本体部３１の外周縁部には全周に亘って係合凹部３３が形成されることになる。また、凹部形成部材３２のベース部３２ｂと段部３４の降下部３４ｂとは互いに当接し、ボルト等の固着手段で互いに固定されている。
しかも、後側枠部３１ｃの段部３４と凹部形成部材３２はボルト固定等で比較的剛性が大きくなるため、面材１７の縁部材４０を係合凹部３３に係合させる際、外周枠本体部３１の外側枠部３１ａと前側枠部３１ｂを弾性変形し易くし、外側枠部３１ａと前側枠部３１ｂの係合凹部３３への縁部材４０の係合作業を行いやすくしている。
【００２３】
外周枠本体部３１において、図８（ａ）に示すように、外側枠部３１ａには係合凹部３３内の最奥部近傍位置から裏面側(椅子１の下面側)に向けて貫通する係合孔３７が形成され、裏面側に係合孔３７の開口３７ａが設けられている。合成樹脂製の外周枠部１６は金型で成形して製作するため、係合凹部３３には抜きテーパが形成され、最奥部から開口側に向けて次第に拡径している。図８（ａ）に示す係合凹部３３の断面図で、上面３３ａに対して下面３３ｂが開口から最奥部に向けて上面３３ａに近づく上り坂の傾斜面に形成されている。
【００２４】
また、係合孔３７においても、係合凹部３３内の最奥部近傍位置での連通部から開口３７ａに向けて次第に拡径するように抜きテーパが形成されている。なお、上述した構成に限定されることなく、係合凹部３３及び係合孔３７の断面形状や互いの連通位置は適宜設定できる。
係合凹部３３内から裏面側に形成された係合孔３７は、図７に示すように、両側の外側枠部３１ａ、３１ａの長手方向に所定間隔で複数個、例えばそれぞれ３個形成されており、前側枠部３１ｂと後側枠部３１ｃには形成されていない。係合孔３７の設置数は３個に限定されることなく、適宜の数を形成できる。また、外側枠部３１ａの裏面側において、係合孔３７の開口３７ａよりも外周側には裏面側に突出する突出壁部３８が形成されている。突出壁部３８は断面略山形に形成されているが、突出壁部３８の突形状は任意に形成できる。
【００２５】
本実施形態において、外周枠部１６は外側枠部３１ａの領域で上方に向けて湾曲形成されているため、裏面に形成された係合孔３７の開口３７ａは椅子１の外側から目視され易いが、開口３７ａの外周側に突出壁部３８を形成することで開口３７ａを覆い隠すことができ、視認されにくい。しかも、外側枠部３１ａに突出壁部３８を一体形成したためリブとなり、外側枠部３１ａの強度を向上できる。
図７に示す例では、突出壁部３８は外側枠部３１ａの長手方向に沿って略円弧状に連続して形成されているが、少なくとも係合孔３７の開口３７ａを覆い隠す領域に設けられていれば断続的に形成してもよい。
【００２６】
座８は、外周枠部１６の外周枠本体部３１に形成された係合凹部３３に面材１７の外周縁部１７ａに固定された縁部材４０を全周に亘って係合させることで形成されている(図１０、図１１参照)。外周枠部１６に取り付けられる面材１７の外周縁部１７ａには、図９に示すような例えば合成樹脂製の縁部材４０が固定されている。
図９において、縁部材４０は例えば板状の基部４０ａとその一端部で折り曲げられた係止片４０ｂとで断面略Ｌ字状に形成され、外周枠本体部３１の係合凹部３３の形状に沿って略リング状に形成されている。係止片４０ｂにはその周方向の一部に係止片４０ｂよりも突出する係合凸部４１が設けられている。係合凸部４１は係合凹部３３に形成された係合孔３７に係合される爪部であり、係止片４０ｂよりも裏面側に突出して形成されている。そのため、縁部材４０の係合凸部４１は外側枠部３１ａの係合凹部３３に形成された３個の係合孔３７の領域に同一間隔で配列形成されている。
【００２７】
基部４０ａの例えば係止片４０ｂ側の面には、面材１７の外周縁部１７ａが重ねて設置されていて外周縁部１７ａは基部４０ａに全周に亘ってミシン等で逢着されている。基部４０ａに対する面材１７の外周縁部１７ａの固定手段は、逢着以外に溶着や接着等によって行ってもよい。或いは、縁部材４０を成形する金型内の所定位置に面材１７の外周縁部１７ａを設置して縁部材４０と面材１７の外周縁部１７ａとを一体に成形加工してもよい。この場合、外周縁部１７ａはメッシュ状であるため、メッシュの網目に樹脂が流入して固化されて基部４０ａ内に埋め込まれ、高強度に一体化できる。
【００２８】
縁部材４０は基部４０ａに対して係止片４０ｂを外周枠本体部３１の係合凹部３３内の奥側に向けて挿入されるものであり、係止片４０ｂの高さは係合凹部３３の最奥部の高さよりわずかに大きく形成されている。そのため、図１０に示すように、係止片４０ｂは係合凹部３３の最奥部またはその近傍に押し込まれた位置で、係合凹部３３の上面３３ａ及び下面３３ｂによって圧縮されて変形して係止される。その状態で、面材１７は外周枠部１６の表面(上面)側に折り曲げられて所定のテンションで架設される。
【００２９】
座８に人が着座した状態で、メッシュシートからなる面材１７には強いテンションがかかり、しかも弾性変形し易い。特に、外周枠本体部３１の支持部３０からオーバーハングされた両側の外側枠部３１ａ、３１ａに強いテンションがかかる。そのため、図１１に示すように、外側枠部３１ａの係合凹部３３内に係合孔３７が形成された領域では、縁部材４０を係合凹部３３内に押し込むことで係止片４０ｂが最奥部に押し込まれると、係合凸部４１が係合孔３７内に落ち込んでより強固に係止させることができる。これによって、外周枠部１６による縁部材４０の保持強度を高めることができる。
【００３０】
なお、面材１７は座８だけでなく、背もたれ１０にも同様な構成で面材としての張材２３が取り付けられている。背もたれ１０の張材２３の取付け構造について、図示を省略して、座８における面材１７の取り付け構造と略同一の部材に同一の名称と符号を用いて説明する。
即ち、背もたれ１０の略四角形枠状の背フレーム２２を形成する左右の側枠杆２４、２４と上枠杆２５及び下枠杆２６の外側縁部に形成された係合凹部３３に面材１７と同様な材質からなるメッシュシート状の張材２３が張架されている。張材２３はその外側縁部に縁部材４０が固定され、縁部材４０が背フレーム２２の係合凹部３３に係合されている。
【００３１】
また、背フレーム２２の両側の側枠杆２４、２４には、係合凹部３３に連通する係合孔３７が形成されているが、この係合孔３７は背もたれ１０の背面ではなく前面に開口３７ａが形成されるように形成されている。そして、縁部材４０の係合凸部４１は両側の側枠杆２４、２４の係合凹部３３内に形成された係合孔３７に係合されている。
背もたれ１０では、係合孔３７の開口３７ａが側枠杆２４、２４の背面に開口しているとその近傍に突出壁部３８を形成しても容易に目視可能であるため、好ましくない。これに対し、側枠杆２４、２４の前面に係合孔３７の開口３７ａを開口させても張材２３で覆われるため目立たないので、外側から比較的目視しにくい。
【００３２】
上述したように本実施形態による椅子１の座８によれば、外周枠部１６の外側枠部３１ａに形成した係合凹部３３内に縁部材４０の係合凸部４１を係合させるための係合孔３７を形成して裏面側にその開口３７ａが形成した。しかも、開口３７ａの外側に突出壁部３８を形成したため、開口３７ａを外側から遮蔽することができる。したがって、係合孔３７の開口３７ａが外側から視認されにくく、外観の意匠性が向上する。しかも、誤って使用者の手等が触っても、外周枠本体部３１の係合凹部３３と面材１７の縁部材４０との係合が解除されることを防止できる。
また、係合孔３７は、外周枠本体部３１の外周縁部に形成した係合凹部３３の最奥部近傍から裏面側に形成されているので、縁部材４０の係止片４０ｂを係合凹部３３の最奥部に向けて押し込むことで係合凸部４１を容易に係合孔３７内に係合させることができる。したがって、面材１７を外周枠部１６に容易に取り付け固定でき、しかも係合孔３７に係合凸部４１が落ち込んで係合するため、面材１７のテンションと弾性変形の変化が大きくも縁部材４０の離脱を防止できる。
【００３３】
外周枠部１６は、椅子１の支持構造体側に設置された支持部３０と支持部３０よりも外周方向に配置される外周枠本体部３１とからなり、外周枠本体部３１の両側の外側枠部３１ａが支持部３０から斜め上方に向けてオーバーハングしている。したがって、金型で突出壁部３８と係合孔３７を樹脂成形するに際し、脱型時に支持部３０を形成する金型と干渉することがなく成型が容易である。また、両側の外側枠部３１ａがオーバーハングしているため外周枠本体部３１は弾性変形をし易くなるが、厚みの大きい突出壁部３８がリブとして機能するため補強効果があり、高強度である。
【００３４】
座８において、面材１７の縁部材４０を外周枠部１６の係合凹部３３内に押し込む際、断面略Ｌ字状に形成された縁部材４０の係止片４０ｂの部分が係合凹部３３の上面３３ａと下面３３ｂによって圧縮されて変形するため、係合凹部３３からの離脱に対する抵抗力を確保できる。
しかも、係合凹部３３は開口側から最奥部に向けて上面３３ａと下面３３ｂの間の高さが次第に小さくなるようにテーパ状に形成されているため、係止片４０ｂとこれより高さの大きい係合凸部４１がそれぞれ徐々に弾性変形して圧縮され、確実に係合させることができる。
【００３５】
また、面材１７を外周枠部１６の外周枠本体部３１に係合させる際、メッシュシート状の面材１７を強く引っ張って縁部材４０を外周枠本体部３１の係合凹部３３に係合させる必要がある。その際、後側枠部３１ｃの段部３４が別部材である凹部形成部材３２の突部３２ａとの間で係合凹部３３を形成しているため、外周枠本体部３１の外側枠部３１ａと前側枠部３１ｂの強度が比較的小さく弾性変形し易い。そのため、外側枠部３１ａと前側枠部３１ｂを変形させることで、面材１７や縁部材４０にかかる負荷を軽減して容易に縁部材４０を係合凹部３３内に係合させることができる。
【００３６】
なお、本発明は上述の実施形態による椅子１に限定されることはなく、本発明の要旨を逸脱しない範囲で適宜の変更や置換等が可能であり、これらはいずれも本発明に含まれる。以下に、本発明の変形例等について説明するが、上述した実施形態と同一または同様な部品や部材等には同一の符号を用いて説明を行う。
【００３７】
上述した実施形態において、面材１７の縁部材４０を外周枠部１６の外周枠本体部３１の係合凹部３３内に係止片４０ｂで係合させると共に、係合凸部４１を係合孔３７内に落ち込ませて係合させている。この場合、係合凸部４１の裏面方向への高さが大きくなると係合孔３７との係合強度が高くなるが係合凹部３３内への押し込み抵抗が増大する。
そのため、係止片４０ｂに対する係合凸部４１の突出量を小さく抑えると共に、係合孔３７の開口３７ａ側からボルトやピン等を係合凸部４１に打ち込むことで縁部材４０係合を強固にしてもよい。その際、ボルト等で係合凸部４１を貫通させて係合凹部３３の上面３３ａに螺合または固定するようにしてもよい。
或いは、縁部材４０に係合凸部４１を設けることなく係合凹部３３内に押し込んで係合させ、係合孔３７から係止片４０ｂにボルトやピン等を係合凸部として打ち込むことで係合孔３７に当接させて、係合強度を高めてもよい。
【００３８】
なお、外周枠部１６の係合凹部３３に連通する係合孔３７を隠すための突出壁部３８を断面略山形に形成したが、外側方から開口３７ａを遮蔽できればどのような形状でもよい。例えば、外周枠本体部３１の裏面における開口３７ａの外側を内側の部分より全体に厚く形成してもよい。
また、外周枠部１６の外周枠本体部３１の前側枠部３１ｂにも係合凹部３３に係合孔３７を形成し、これに係合する係合凸部４１を縁部材４０の係止片４０ｂに形成してもよい。
【００３９】
なお、外周枠部１６の外側枠部３１ａを上側に湾曲させてオーバーハングさせたが、湾曲していなくてもよく、例えば支持部３０と共に平板状に形成されていてもよい。この場合でも、係合孔３７の開口３７ａを突出壁部３８で遮蔽することができる。
また、座８に設けた面材１７はメッシュシートに限定されるものではなく、布や革等のシート状等でもよい。
また、上述した実施形態では、背フレーム２２の両側の側枠杆２４、２４には、係合凹部３３に連通する係合孔３７が形成され、この係合孔３７の開口３７ａを背もたれ１０の前面に形成したが、これに代えて背面に係合孔３７とその開口３７ａを形成してもよい。そして、背フレーム２２の両側の側枠杆２４、２４において、背面の開口３７ａの外側に突出壁部３８を形成してもよい。この場合でも、背もたれ１０の外側から開口３７ａを目視できないため外観の意匠性が向上する上に、突出壁部３８を設けることで背もたれ１０の強度が向上するという利点がある。
【００４０】
また、上述した実施形態では、椅子１用の荷重支持部材として、座８における外周枠部１６と面材１７について説明したが、本発明は座８に限定されるものではなく、上述したように背もたれ１０の背フレーム２２と張材２３にも適用できる。更に椅子１に設置可能なヘッドレスト等にも本発明の荷重支持部材を適用することができる。
椅子１以外のもの、例えば車両の網棚や防虫ネット等についても本発明の荷重支持部材を適用できる。  
【符号の説明】
【００４１】
１  椅子
８  座
９  背もたれ支持フレーム
１０  背もたれ
１６  外周枠部
１７  面材
２３  張材
３０  支持部
３１  外周枠本体部
３１ａ  外側枠部
３１ｂ  前側枠部
３１ｃ  後側枠部
３２  凹部形成部材
３３  係合凹部
３４  段部
３７  係合孔
３７ａ  開口
３８  突出壁部
４０  縁部材
４０ａ  基部
４０ｂ  係止片
４１  係合凸部
【図１】
2020058719.tif 000003
【図２】
2020058719.tif 000004
【図３】
2020058719.tif 000005
【図４】
2020058719.tif 000006
【図５】
2020058719.tif 000007
【図６】
2020058719.tif 000008
【図７】
2020058719.tif 000009
【図８】
2020058719.tif 000010
【図９】
2020058719.tif 000011
【図１０】
2020058719.tif 000012
【図１１】
2020058719.tif 000013